(57)【要約】【課題】回転可能に配置された表示装置を含む複数の表示手段を備える撮像装置において、表示を行う表示手段を表示装置での回転角度に応じて適切に切り替える。【解決手段】撮像装置１の本体の背面に設けられ、回転軸Ａまわりに上方へ回転可能な表示装置２０と、収納位置と使用位置との間で移動可能な接眼部１３０を有するＥＶＦ１０と、接眼部１３０が使用位置にあるか否かを検知する検知スイッチ１２３と、接眼部１３０への物体の近接を検知する近接センサ１４ａと、表示装置２０とＥＶＦ１０での表示を制御する制御手段とを備える。制御手段は、近接センサ１４ａが接眼部１３０へ物体の近接の有無を検知した結果に対して設定された所定の制御を、接眼部１３０が使用位置にあることを検知スイッチ１２３が検知している状態では有効とし、接眼部１３０が使用位置にないことを検知スイッチ１２３が検知している状態では無効とする。【選択図】図１０
2020053806.tif 000002
【特許請求の範囲】
【請求項１】
撮像装置の本体の背面に設けられ、第１の回転軸を中心として上方へ回転可能な第１の表示部と、
収納位置と使用位置との間で移動可能な接眼部を有する第２の表示部と、
前記接眼部が前記使用位置にあるか否かを検知する第１の検知手段と、
前記接眼部への物体の近接を検知する第２の検知手段と、
前記第１の検知手段による検知結果と前記第２の検知手段による検知結果に基づいて前記第１の表示部と前記第２の表示部での表示を制御する制御手段と、を備え、
前記制御手段は、前記第２の検知手段が前記接眼部へ物体の近接の有無を検知した結果に対して設定された所定の制御を、前記接眼部が前記使用位置にあることを前記第１の検知手段が検知している状態では有効とし、前記接眼部が前記使用位置にないことを前記第１の検知手段が検知している状態では無効とすることを特徴とする撮像装置。
【請求項２】
前記所定の制御は、前記第２の検知手段が物体の近接を検知している場合に前記第１の表示部での表示を行わずに前記第２の表示部での表示を行い、前記第２の検知手段が物体の近接を検知していない場合に前記第２の表示部での表示を行わず、前記第１の表示部での表示を行う制御であることを特徴とする請求項１に記載の撮像装置。
【請求項３】
前記接眼部が前記使用位置にある場合に前記第１の表示部の回転角度が所定の角度に達すると前記第１の表示部は前記接眼部に当接し、
第１の表示部を前記所定の角度を超えて回転させると前記第１の表示部によって前記接眼部が前記使用位置から前記収納位置へ向けて押し込まれることにより、前記第１の検知手段は前記接眼部が前記使用位置にないことを検知した状態に変わることを特徴とする請求項１又は２に記載の撮像装置。
【請求項４】
前記第１の表示部は、前記第１の回転軸と略平行な第２の回転軸を中心として下方へ回転可能に配置され、
前記第２の回転軸の摺動トルクは、前記接眼部を前記第１の表示部を回転させることによって前記収納位置へ向けて押し込む動作に必要とする力の反力によって前記第２の回転軸に作用する回転トルクよりも大きいことを特徴とする請求項３に記載の撮像装置。
【請求項５】
前記第１の表示部は、前記第１の表示部の回転角度が所定の角度に達したときに前記接眼部に当接するリブを有することを特徴とする請求項３又は４に記載の撮像装置。
【請求項６】
前記第２の検知手段は、前記第１の表示部の上枠部に設けられていることを特徴とする請求項１乃至５のいずれか１項に記載の撮像装置。
【請求項７】
前記第２の検知手段は、前記撮像装置の本体の背面に設けられていることを特徴とする請求項１乃至５のいずれか１項に記載の撮像装置。
【請求項８】
前記第２の検知手段は、前記接眼部に配置されていることを特徴とする請求項１乃至５のいずれか１項に記載の撮像装置。
【請求項９】
撮像装置の本体の背面に設けられ、第１の回転軸を中心として上方へ回転可能な第１の表示部と、
収納位置と使用位置との間で移動可能な接眼部を有する第２の表示部と、
前記接眼部が前記使用位置にあるか否かを検知する検知手段と、
前記検知手段による検知結果に基づいて前記第１の表示部と前記第２の表示部での表示を制御する制御手段と、を備え、
前記制御手段は、前記接眼部が前記使用位置にあることを前記検知手段が検知している状態では、前記第１の表示部での表示を行わずに前記第２の表示部での表示を行い、前記接眼部が前記使用位置にないことを前記検知手段が検知している状態では、前記第２の表示部での表示を行わずに前記第１の表示部での表示を行うことを特徴とする撮像装置。
【請求項１０】
前記接眼部が前記使用位置にある場合に前記第１の表示部の回転角度が所定の角度に達すると前記第１の表示部は前記接眼部に当接し、
第１の表示部を前記所定の角度を超えて回転させると前記第１の表示部によって前記接眼部が前記使用位置から前記収納位置へ向けて押し込まれることにより、前記検知手段は前記接眼部が前記使用位置にないことを検知した状態に変わることを特徴とする請求項９に記載の撮像装置。
【請求項１１】
前記第１の表示部は、前記第１の回転軸と略平行な第２の回転軸を中心として下方へ回転可能に配置され、
前記第２の回転軸の摺動トルクは、前記接眼部を前記第１の表示部を回転させることによって前記収納位置へ向けて押し込む動作に必要とする力の反力によって前記第２の回転軸に作用する回転トルクよりも大きいことを特徴とする請求項１０に記載の撮像装置。
【請求項１２】
前記第１の表示部は、前記第１の表示部の回転角度が所定の角度に達したときに前記接眼部に当接するリブを有することを特徴とする請求項１０又は１１に記載の撮像装置。
【請求項１３】
前記第２の表示部は、前記接眼部が収納位置にある状態で更に前記撮像装置の本体内部への収納が可能となっていることを特徴とする請求項１乃至１２のいずれか１項に記載の撮像装置。
【請求項１４】
前記第１の表示部は、略１８０°回転が可能であることを特徴とする請求項１乃至１３のいずれか１項に記載の撮像装置。
【発明の詳細な説明】
【技術分野】
【０００１】
本発明は、複数の表示装置を備える撮像装置に関する。
【背景技術】
【０００２】
撮像素子から出力される画像信号（画像情報）をデータファイルとして記憶するデジタルカメラ等の撮像装置が広く普及している。一般的にこのような撮像装置は、撮像時の被写体像確認や撮影画像の再生表示等に用いられる液晶ディスプレイ等の表示装置が撮像装置本体の背面に配置された構造を有している。そして、撮像装置本体の背面に配置された表示装置が撮像装置本体に対してヒンジ装置によって回転可能に配置されたものが知られている。例えば、被写体に対する撮像装置の位置や向きを変化させた際に撮像装置本体の背面に設けられた表示装置を回転させて表示装置の表示面を撮影者へ向けることにより、撮影者は表示面と正対した状態で被写体を確認することができる。
【０００３】
また、回転可能な表示装置を備える撮像装置の中には、表示装置を上方へ略１８０°回転可能に構成されたものがある。なお、表示装置を上方へ略１８０°回転させるとは、表示装置の上辺を回転軸として、下辺が円弧を描くように略１８０°回転させることを指す。表示装置が上方へ略１８０°回転操作された状態では、表示装置の表示面は被写体側に向けられる。これにより、撮影者が自身を被写体として被写体像を確認しながら撮影を行う、いわゆる自分撮り撮影（自撮り）に適した撮影ポジションの提供が可能となる。
【０００４】
一方、撮像装置本体の背面に設けられる表示装置とは別に、小型ディスプレイ、レンズ及び接眼窓を内蔵し、接眼窓を覗き込むことで被写体像や再生画像の確認（視認）を可能とする電子ビューファインダを備える撮像装置が知られている。例えば、特許文献１には、非使用時には撮像装置本体内に収納され、使用時には撮像装置本体から突出することで電子ビューファインダとして使用可能になる撮像装置が開示されている。特許文献１に開示された撮像装置では、撮像装置本体の背面に設けられた表示装置が前述したように略１８０°上方へ回転可能であり、撮像装置本体の背面側上部に物体の近接を検知する検知センサが設けられている。そして、この検知センサが顔の近接を検知すると電子ビューファインダへの画像表示を開始し、撮像装置本体の背面に設けられた表示装置での情報表示を停止する構成となっている。
【先行技術文献】
【特許文献】
【０００５】
【特許文献１】特開２０１５−２２７９０１号公報
【発明の概要】
【発明が解決しようとする課題】
【０００６】
しかしながら、上記特許文献１に開示された技術では、表示装置を上方へ所定角度回転させた際に表示装置が検知センサの検知範囲内に入ってしまうことで、撮像装置本体の背面に配置された表示装置での表示が予期せずオフして（消えて）しまうことがある。
【０００７】
本発明は、回転可能に配置された表示装置を含む複数の表示手段を備える撮像装置において、表示を行う表示手段を表示装置での回転角度に応じて適切に切り替えることが可能な撮像装置を提供することを目的とする。
【課題を解決するための手段】
【０００８】
本発明に係る撮像装置は、撮像装置の本体の背面に設けられ、第１の回転軸を中心として上方へ回転可能な第１の表示部と、収納位置と使用位置との間で移動可能な接眼部を有する第２の表示部と、前記接眼部が前記使用位置にあるか否かを検知する第１の検知手段と、前記接眼部への物体の近接を検知する第２の検知手段と、前記第１の検知手段による検知結果と前記第２の検知手段による検知結果に基づいて前記第１の表示部と前記第２の表示部での表示を制御する制御手段と、を備え、前記制御手段は、前記第２の検知手段が前記接眼部へ物体の近接の有無を検知した結果に対して設定された所定の制御を、前記接眼部が前記使用位置にあることを前記第１の検知手段が検知している状態では有効とし、前記接眼部が前記使用位置にないことを前記第１の検知手段が検知している状態では無効とすることを特徴とする。
【発明の効果】
【０００９】
本発明によれば、回転可能に配置された表示装置を含む複数の表示手段を備える撮像装置において、表示を行う表示手段を表示装置での回転角度に応じて適切に切り替えることが可能になる。
【図面の簡単な説明】
【００１０】
【図１】本発明の実施形態に係る撮像装置の斜視図である。
【図２】撮像装置が備える表示装置の分解斜視図である。
【図３】撮像装置の本体と表示装置とを連結するヒンジ装置の分解斜視図である。
【図４】撮像装置の分解斜視図である。
【図５】表示装置が取り得る姿勢の典型例を説明する斜視図である。
【図６】撮像装置が備える電子ビューファインダ装置の分解斜視図である。
【図７】電子ビューファインダ装置を構成するベースユニットの分解斜視図と矢視Ａ−Ａ断面図である。
【図８】電子ビューファインダ装置の動作を説明する側面図である。
【図９】表示装置の姿勢と近接センサの検知範囲の関係を説明する側面図である。
【図１０】電子ビューファインダ装置が使用可能な状態、且つ、表示装置を所定の角度へ回転させた状態での撮像装置の側面図である。
【図１１】参考例に係る撮像装置の側面図である。
【図１２】表示装置にリブを設けた構成を説明する図である。
【発明を実施するための形態】
【００１１】
以下に、本発明の実施形態について、添付図面を参照して詳細に説明する。
【００１２】
＜第１実施形態＞
図１（ａ）は、第１実施形態に係る撮像装置１を略正面側から見た斜視図である。図１（ｂ）は、撮像装置１を略背面側から見た斜視図である。なお、図１（ｂ）に示す部位や部品であって、図１（ａ）に符号で示した部位や部品との対応が明らかなものについては、図１（ｂ）での符号の記載を省略している。また、以下の説明で、上下方向及び左右方向を指す表現は、その都度説明する場合を除いて、撮像装置１が図１に示すように正姿勢にある状態を前提とする。
【００１３】
撮像装置１の本体内には光学像を光電変換して画像データを生成するＣＣＤやＣＭＯＳ等の不図示の撮像素子（イメージセンサ）が配置されており、撮像装置１の前面には被写体像を撮像素子に結像させる撮影レンズを有する鏡筒ユニット２が配置されている。なお、撮像装置１の本体とは、撮像装置１から鏡筒ユニット２と後述する表示装置及びヒンジ装置を除いた略直方体形状を有する部分（筐体）を指す。
【００１４】
鏡筒ユニット２は沈胴式で、撮影時には撮像装置１から繰り出され、非撮影時（収納時）には図１に示すように撮像装置１の本体内部へ沈胴している。なお、撮像装置１の本体内には、撮像素子から出力される電気信号（画像信号）をデジタル情報からなる画像データに変換する処理回路が実装されている不図示の主基板や補助基板等が配置されている。
【００１５】
撮像装置１の上面には、ストロボ装置３、ストロボボタン４、レリーズボタン５、ズームレバー６、電源ボタン７、マイク穴８、モード設定ダイヤル９及び電子ビューファインダ装置１０（第２の表示部、以下「ＥＶＦ１０」と記す）が設けられている。撮像装置１の一方の側面には操作レバー１１が設けられており、撮像装置１の他方の側面にはジャックカバー１２が設けられている。撮像装置１の背面には、操作ボタン群１３、近接センサ窓部１４及び表示装置２０（第１の表示部）が設けられている。
【００１６】
ストロボ装置３は、図１に示した状態では撮像装置１の本体内に収納されている。被写体の明るさが足りない撮影時等にストロボボタン４を押下することで、被写体側を向いた発光窓を撮像装置１から突出させることができる。ストロボ装置３の発光部（不図示）を発光させることにより、閃光照射による被写体撮影（ストロボ撮影）を行うことができる。撮像装置１から突出したストロボ装置３は、その天面を撮像装置１へ押し込むように操作することにより、撮像装置１の本体内に収納された状態へ戻すことができる。
【００１７】
レリーズボタン５は、２段階の押圧操作が可能な構成となっている。レリーズボタン５の１段目の半押し操作により撮影準備動作（測光動作（ＡＥ）や測距動作（ＡＦ）等）が開始され、レリーズボタン５の２段目の全押し操作により被写体撮影、被写体像の画像データの記憶媒体（不図示）への記憶が行われる。
【００１８】
ズームレバー６は、レリーズボタン５の外周に回転可能に保持された回転操作型の部材である。ズームレバー６が一方の方向に回転操作されると、鏡筒ユニット２において望遠側（画角が狭くなる方向）へのズーム動作が行われ、他方の方向に回転操作されると鏡筒ユニット２において広角側（画角が広がる方向）へのズーム動作が行われる。電源ボタン７の押下により、撮像装置１の使用不可状態（オフ状態）と使用可能状態（オン状態）とが切り替わる。なお、撮像装置１の本体内には、電源となる電池（不図示）や画像データを記憶する記憶媒体が格納されている。
【００１９】
マイク穴８は、撮像装置１の本体に内蔵されたマイクユニット（不図示）へ音声を取り込むために収音性を考慮して撮像装置１の上面に設けられており、ステレオ録音を可能とするために撮像装置１の幅方向に所定の間隔を空けて２つ設けられている。モード設定ダイヤル９は、所定の撮影モードを設定するための回転操作部材である。モード設定ダイヤル９の天面には各種の撮影モードに対応した複数のアイコン（不図示）が印刷されており、撮像装置１に設けられた指標（不図示）に所望のモードのアイコンを合わせることで、撮像装置１を所望の撮影モードで動作させることが可能になる。
【００２０】
ＥＶＦ１０は、図１に示した状態では撮像装置１の本体内に収納されている。撮像装置１の側面に設けられた操作レバー１１を下方へスライドさせることにより、ＥＶＦ１０の表示ユニット１１０及びカバーユニット１４０（図６乃至図８参照）を上方へ突出させることができる。これにより、詳細は後述するが、表示ユニット１１０に含まれる接眼窓１３１（図６参照）を撮像装置１の背面側へ向けて露出させることが可能になる。ＥＶＦ１０の構成の詳細については後述するが、ＥＶＦ１０は、有機ＥＬパネル１２１やレンズ１２２（図６参照）を備える。撮影者は接眼窓１３１を介してＥＶＦ１０の内部を覗くことによって、被写体像や撮影画像（再生画像）を確認（視認）ことができる。
【００２１】
撮像装置１の側面に設けられたジャックカバー１２を開けると、電源や信号の入出力用ジャックが露出し、入出力用ジャックに対する各種ケーブルの挿抜が可能になる。操作ボタン群１３は、単独のボタンや十字ボタン等の複数のボタンを含む。操作ボタン群１３を構成する各ボタンには所定の機能が割り当てられており、例えば、撮影条件の変更、再生画面への切り換え等の各種指示の入力が可能となっている。
【００２２】
表示装置２０は、例えば、表示画面となる液晶ディスプレイ２１を有しており、被写体像（ライブ画像）や撮影画像、撮像装置１の設定メニュー等を表示する。表示装置２０は、ヒンジ装置３０（図３乃至図５参照）を介して上下方向へ回転可能に撮像装置１の本体に取り付けられており、その詳細については後述する。
【００２３】
近接センサ窓部１４は、表示装置２０の上枠部に設けられている。近接センサ窓部１４は、可視光線領域の透過率が小さく、波長が８００ｎｍ以上の赤外線領域での透過率が大きい特徴を有する樹脂で形成されている。また、近接センサ窓部１４の内側には発光部と受光部を備えた近接センサ１４ａ（第２の検知手段）（図２参照）が配置されている。近接センサ１４ａは、発光部から赤外光を投射し、設定された閾値を超えた反射光の受光部への入射の有無に応じて物体の近接の有無を検知する。近接センサ１４ａは、撮影者がＥＶＦ１０の接眼窓１３１を覗き込んでいるか否かを判定するために用いられる。
【００２４】
図２は表示装置２０の分解斜視図であり、図２（ａ）と図２（ｂ）とでは表示装置２０を見る方向が異なっている。表示装置２０は、大略的に、液晶ディスプレイ２１、ディスプレイカバー２２、両面テープ２３及びスペーサ２４により構成されている。
【００２５】
液晶ディスプレイ２１は、液晶パネルと、液晶パネルを外圧や傷、汚れから保護する保護窓と、撮影者が触れることで入力操作が行われる静電容量方式等のタッチパネルとが一体となった構造を有する。液晶ディスプレイ２１は、保護窓の外形に沿って形成された矩形枠型の両面テープ２３によってディスプレイカバー２２の前面（液晶ディスプレイ２１の表示面側からディスプレイカバー２２を見たときに前となる面）に接着される。両面テープ２３には、接着強度が大きく、且つ、衝撃に強いものを用いることが望ましい。これは、撮像装置１が落下等した場合に作用する衝撃に起因して液晶ディスプレイ２１に浮き上がりや剥離が発生するのを抑制し、液晶ディスプレイ２１がディスプレイカバー２２の外に飛び出すことによる破損の発生を抑制するためである。
【００２６】
ディスプレイカバー２２は液晶ディスプレイ２１の周囲を覆う枠体であり、液晶ディスプレイ２１を支持する外観部品でもある。そのため、ディスプレイカバー２２において外観に露出する面には、所定の塗装が施されている。ディスプレイカバー２２において表示装置２０の上枠部に相当する位置には、近接センサ窓部１４が接着固定されている。
【００２７】
液晶ディスプレイ２１は、フレキシブル配線基板２１ａ及びフレキシブル配線基板４１を有する。フレキシブル配線基板４１は、表示装置２０の表示制御を担う基板であり、液晶ディスプレイ２１の背面（液晶ディスプレイ２１の表示面側から液晶ディスプレイ２１を見たときに後となる側）に両面テープ（不図示）で貼り付けられて固定されている。フレキシブル配線基板４１にはコネクタ４３が実装されている。フレキシブル配線基板２１ａの一端はコネクタ４３に接続され、他端は液晶パネルを構成する透明電極やバックライトと電気的に接続されている。近接センサ１４ａはフレキシブル配線基板４１上に実装されており、近接センサ窓部１４と対向するように位置決めされ、固定されている。
【００２８】
フレキシブル配線基板４１上に実装されたコネクタ４４には、フレキシブル配線基板４２の一端が接続される。フレキシブル配線基板４２の他端は、撮像装置１の本体内に配置された制御基板（メイン基板不図示）に接続される。こうして、撮像装置１の本体内に設けられた制御基板からの各種の電気信号が、フレキシブル配線基板４２を介してフレキシブル配線基板４１へ伝達され、液晶ディスプレイ２１での表示制御が行われる。なお、表示装置２０からの配線の一部の電気信号は、差動伝送方式のための差動信号となっている。フレキシブル配線基板４２に形成された信号パターン（不図示）では、差動信号パターンが、フレキシブル配線基板４２の略中央付近に所定の差動インピーダンス仕様を満たすようにインピーダンスのマッチングを行って形成されている。
【００２９】
スペーサ２４は、ディスプレイカバー２２とヒンジ装置３０との隙間を封止する部材（モールド樹脂部材）である。スペーサ２４は、ディスプレイカバー２２に対して液晶ディスプレイ２１の組み付け方向の逆方向から組み付けられ、ディスプレイカバー２２とヒンジ装置３０とで挟まれた状態で固定される。
【００３０】
ディスプレイカバー２２には凹部が形成されており、この凹部に磁石２５が収納され、接着固定されている。磁石２５が発生する磁場（磁束）は磁気センサ（磁気検出素子（不図示））によって検出され、磁場の検出結果は表示装置２０での表示方向の切り替えスイッチとして機能する。磁気センサには、巨大磁気抵抗（ＧＭＲ）素子や半導体ホール素子等が用いられる。ＧＭＲ素子は、磁気抵抗効果を利用して主面に平行な磁場を検出し、磁場が強くなると電気抵抗が増加する性質を有する合金（具体的には、ニッケル、鉄、コバルトを主成分とする）からなる。ＧＭＲ素子を判定回路に組み込むことでＧＭＲセンサが構成される。本実施形態では、撮像装置１の本体内に配置されたフレキシブル配線基板（不図示）にＧＭＲセンサが実装されている。そして、ＧＭＲセンサの検出値に閾値が設定されており、磁石２５の位置に応じて変化する磁束の大きさをＧＭＲセンサで検出し、検出した磁束の大きさを閾値と比較した結果に基づいて表示装置２０での表示切り替えを行っている。具体的には、表示装置２０を図１（ｂ）の基本姿勢の状態から下辺部が上方へ移動するように回転させると、閾値を超えた磁束の大きさをＧＭＲセンサが検出した時点で、表示装置２０での画面表示が通常状態から上下左右で反転した表示に切り替わる。
【００３１】
次に、表示装置２０を撮像装置１の本体に対して回転可能に連結するヒンジ装置３０の構成について、図３を参照して説明する。図３（ａ）は、ヒンジ装置３０の分解斜視図である。図３（ｂ）は、図３（ａ）中の領域Ｃ（回転軸Ａの一端）の拡大図である。図３（ｃ）は、図３（ａ）中の領域Ｄ（回転軸Ａの他端）の拡大図である。
【００３２】
回転軸Ａ（第１の回転軸）は、ヒンジ装置３０の上側に設けられ、表示装置２０を上方へ回転させる際の中心軸となる回転軸である。また、ヒンジ装置３０の下側に設けられ、表示装置２０を下方へ回転させる際の中心軸となる回転軸を回転軸Ｂ（第２の回転軸）と定義する。回転軸Ａと回転軸Ｂとは略平行となっている。表示装置２０を上方へ回転させるとは、前述したが、表示装置２０の上辺を回転軸として、下辺が円弧を描くように回転させることを指し、換言すれば、表示装置２０の下辺部を撮像装置１の本体から引き出して回転させる操作を示す。表示装置２０を下方へ回転させるとは、表示装置２０の下辺を回転軸として、上辺が円弧を描くように回転させることを指し、換言すれば、表示装置２０の上辺部を撮像装置１の本体から引き出して回転させる操作を示す。
【００３３】
ヒンジ装置３０は、スタンドプレート３１，３２、ベースプレート３３、アームプレート３４、加締めピン３５Ａ１，３５Ａ２，３５Ｂ１，３５Ｂ２、皿バネ３６Ａ，３６Ｂ１，３６Ｂ２を有する。
【００３４】
スタンドプレート３１，３２はヒンジ装置３０の左右に配置され、スタンドプレート３１は孔部３１ｂが形成された立曲げ部３１ｃを有し、スタンドプレート３２は孔部３２ｂが形成された立曲げ部３２ｃを有する。ベースプレート３３は左右に立曲げ部３３ｃを有し、立曲げ部３３ｃの上側には孔部３３ａが形成され、立曲げ部３３ｃの下側には孔部３３ｂが形成されている。ベースプレート３３の孔部３３ｂとスタンドプレート３１，３２の孔部３１ｂ、３２ｂは同軸に配置されて、回転軸Ｂが形成される。ベースプレート３３の左右下部にはストッパ３３ｄが形成されている。表示装置２０を下方へ略４５°回転させると、ストッパ３３ｄがスタンドプレート３１，３２の立曲げ部３１ｃ，３２ｃに当接することで、表示装置２０の下方への回転角度が規制される。
【００３５】
アームプレート３４は左右に立曲げ部３４ｃを有し、立曲げ部３４ｃの上側には孔部３４ａが形成されている。アームプレート３４の孔部３４ａとベースプレート３３の孔部３３ａは同軸に配置されて、回転軸Ａが形成される。アームプレート３４の左右上部にはストッパ３４ｄが設けられている。表示装置２０を上方へ略１８０°回転させると、ストッパ３４ｄがベースプレート３３の立曲げ部３３ｃに当接することで、表示装置２０の上方への回転角度が規制される。
【００３６】
加締めピン３５Ａ１は、ベースプレート３３の孔部３３ａとアームプレート３４の孔部３４ａに挿通した状態で加締められる。また、加締めピン３５Ａ２は、ベースプレート３３の孔部３３ａ、アームプレート３４の孔部３４ａ及び皿バネ３６Ａの孔部３６ａに挿通した状態で加締められる。これにより、ベースプレート３３とアームプレート３４は同軸上に回転可能に連結されると共に、加締めピン３５Ａ１，３５Ａ２の脱落が防止される。皿バネ３６Ａは回転軸方向に撓ませた状態で固定され、これにより回転軸Ａまわりに表示装置２０を回転させる際の回転トルクが付与される。
【００３７】
加締めピン３５Ｂ１は、スタンドプレート３１の孔部３１ｂ、ベースプレート３３の孔部３３ｂ及び皿バネ３６Ｂ１の孔部３６ｂ１に挿通した状態で加締められる。また、加締めピン３５Ｂ２は、スタンドプレート３２の孔部３２ｂ、ベースプレート３３の下側の孔部３３ｂ及び皿バネ３６Ｂ２の孔部３６ｂ２に挿通した状態で加締められる。これにより、スタンドプレート３１，３２とベースプレート３３とが同軸上に回転可能に結合されると共に、加締めピン３５Ｂ１，３５Ｂ２の脱落が防止される。皿バネ３６Ｂ１，３６Ｂ２は回転軸方向に撓ませた状態で固定され、これにより、回転軸Ｂまわりに表示装置２０を回転させる際の回転トルクが付与される。
【００３８】
なお、スタンドプレート３１，３２、ベースプレート３３及びアームプレート３４はそれぞれ、金属材料をプレス加工して製造された部品であり、回転動作に対して高い強度を有する。本実施形態では、回転軸Ａの片側（右側）にのみ皿バネ３６Ａを配置しているが、回転軸Ｂの構成と同様に、回転軸Ａの左右両側に皿バネを配置しても構わない。皿バネ３６Ａ，３６Ｂ１，３６Ｂ２により、回転軸Ａ，Ｂに回転負荷となる摺動トルクが付与される。これにより、ベースプレート３３はスタンドプレート３１，３２に対して、アームプレート３４はベースプレート３３に対してそれぞれ、任意の回転位置で保持することが可能となる。
【００３９】
続いて、撮像装置１の本体、表示装置２０及びヒンジ装置３０の関係について説明する。図４は、撮像装置１の分解斜視図である。ヒンジ装置３０のスタンドプレート３１，３２（図３参照）は、撮像装置１の本体の背面へビス２６ａ，２６ｂにより固定される。また、ヒンジ装置３０のアームプレート３４はディスプレイカバー２２の背面へビス２７ａ，２７ｂにより固定され、且つ、ディスプレイカバー２２の底面へビス２８ａ，２８ｂ，２８ｃにより固定される。こうして、ヒンジ装置３０によって表示装置２０と撮像装置１の本体とが連結される。
【００４０】
図５（ａ）は、表示装置２０の基本姿勢を示す斜視図である。基本姿勢では、表示装置２０は撮像装置１の本体の背面側に収納されている。基本姿勢は、撮影者が撮像装置１の背面側にいて、鏡筒ユニットの正面の被写体撮影や撮影画像の再生表示等を行う際に用いられる姿勢である。
【００４１】
図５（ｂ）は、表示装置２０を上方へ１８０°回転させた姿勢（以下「反転姿勢」という）を示す斜視図である。反転姿勢は、例えば、自分撮り撮影の際に用いられる。前述した摺動トルクにより、表示装置２０を基本姿勢と反転姿勢との間の任意の角度で保持することができる。表示装置２０の表示面が上方へ向くように所定角度回転させた姿勢は、例えば、撮像装置１を低く構えた状態で被写体を撮影する際に用いられる。
【００４２】
図５（ｃ）は、表示装置２０を下方へ４５°回転させた姿勢（以下「下向き姿勢」という）を示す斜視図である。下向き姿勢は、例えば、撮像装置１を高く構えて撮影する際に用いられる姿勢である。なお、前述した摺動トルクにより、表示装置２０を基本姿勢と下向き姿勢との間の任意の角度で保持することができる。このように、表示装置２０は、ヒンジ装置３０によって撮像装置１の本体に対して様々な形態（角度）に調整可能であり、様々な撮影方法や撮影状況に適応することが可能となっている。
【００４３】
次に、ＥＶＦ１０の構成について説明する。図６は、ＥＶＦ１０の分解斜視図である。ＥＶＦ１０は、ベースユニット１００、表示ユニット１１０、カバーユニット１４０、配線基板１５０及びフレキシブル配線基板１５１を有する。表示ユニット１１０は、本体部１２０と接眼部１３０を有する。本体部１２０は、映像や情報を表示する表示手段である有機ＥＬパネル１２１、レンズ１２２、接眼部１３０の引き出しを検知する検知スイッチ１２３（第１の検知手段）を有する。接眼部１３０は、接眼窓１３１、接眼窓枠部１３２、視度調整に用いられる視度調整レバー１３３、接眼部１３０を本体部１２０（カバーユニット１４０）から引き出すための把持部１３４を有する。
【００４４】
表示ユニット１１０は、ベースユニット１００に対して位置決めされて３本のビス１１１，１１２，１１３によってベースユニット１００に固定される。カバーユニット１４０は、接着によって一体化された天面カバー１４１と側面カバー１４２を有する。カバーユニット１４０は、表示ユニット１１０の周囲を覆い、ＥＶＦ１０が撮像装置１の本体に収納された状態で撮像装置１の天面の一部を構成する（図１参照）。カバーユニット１４０は、ベースユニット１００に対して位置決めされた状態で、ビス１４３，１４４と表示ユニット１１０との共締めビスであるビス１１３によってベースユニット１００に固定される。配線基板１５０は、各種の電子部品を実装しており、ＥＶＦ１０の表示制御を行う。配線基板１５０は、表示ユニット１１０に対し位置決めされてビス１５３によって表示ユニット１１０に固定される。フレキシブル配線基板１５１は、撮像装置１の本体内に配置された制御基板（不図示）との接続に用いられ、コネクタ１５２を介して配線基板１５０に接続される。
【００４５】
図７（ａ）は、ベースユニット１００の分解斜視図である。図７（ｂ）は、図７（ａ）に示す矢視Ａ−Ａの断面図である。ベースユニット１００は、ベース１０１、シャーシ１０２、シャフト１０３、シャフトバネ１０４、シャフトクッション１０５、ベースプレート１０６、ロックレバー１０７、ロックレバーシャフト１０８及びロックバネ１０９を有する。
【００４６】
ベース１０１には、シャフト１０３が挿通される２つの孔部１０１ａが設けられ、２つの孔部１０１ａのそれぞれに段差部１０１ｂが設けられている。シャーシ１０２にはロックピン１０２ａが固定されている。また、シャーシ１０２には腕部１０２ｂが設けられ、腕部１０２ｂの先端には係合部１０２ｃが形成されている。シャーシ１０２にはビス１１１，１１２，１１３，１４３，１４４が締結されるビス締め部が設けられており、表示ユニット１１０及びカバーユニット１４０はシャーシ１０２に固定される。
【００４７】
シャフト１０３には凸部１０３ａが設けられ、凸部１０３ａはベース１０１に設けられた段差部１０１ｂに当接して位置決めされる。凸部１０３ａにはシャフトクッション１０５が貼られており、これにより、ＥＶＦ１０を撮像装置１の本体から上方へ突出させる際の衝撃を緩和することができる。シャフト１０３は、ベース１０１の孔部１０１ａに挿通された状態で、シャーシ１０２に対して加締められる。これによりシャフト１０３の軸方向端がシャーシ１０２とベース１０１の凸部１０３ａとで抜け止めされることで、シャフト１０３のベース１０１の孔部１０１ａからの脱落が防止される。
【００４８】
ベース１０１の２つの孔部１０１ａのそれぞれにシャフトバネ１０４が挿入されている。２つの孔部１０１ａを塞ぐようにベースプレート１０６が組み付けられると、シャフトバネ１０４の一方の端はシャフト１０３に設けられた凸部１０３ａに当接し、他方の端がベースプレート１０６に当接し、シャフト１０３を上方へ付勢する。つまり、表示ユニット１１０及びカバーユニット１４０はシャフトバネ１０４によって上方へ付勢された状態となっている。ベースプレート１０６は、引っ掛け爪とビスによってベース１０１に固定されている。
【００４９】
ベースプレート１０６の側面上方には、ロックレバー１０７がロックレバーシャフト１０８を回転軸としてベースプレート１０６に対して回転可能に取り付けられている。ロックレバーシャフト１０８は、ベースプレート１０６に固定されている。ロックバネ１０９は、ベースプレート１０６に設けられた引っ掛け部１０６ａとロックレバー１０７に設けられた引っ掛け部１０７ａに引っ掛けられている。ロックバネ１０９の付勢力によって、ロックレバー１０７がロックレバーシャフト１０８を回転軸としてベースプレート１０６に対して反時計まわり方向（矢印Ｒ方向）に付勢される。ロックレバー１０７には、当接部１０７ｂが設けられている。詳細は後述するが、操作レバー１１（図１（ａ）参照）が操作されると、操作レバー１１が当接部１０７ｂに当接し、ロックバネ１０９の付勢力に抗してロックレバー１０７が時計まわり方向に回転する。
【００５０】
ＥＶＦ１０が収納状態（図１参照）にある場合にシャーシ１０２に固定されたロックピン１０２ａと係合する係合部１０７ｃがロックレバー１０７に設けられている。また、ロックレバー１０７にもロックピン１０７ｄが設けられている。詳細は後述するが、ロックピン１０７ｄは、ＥＶＦ１０が上方へ突出している状態でシャーシ１０２の係合部１０２ｃと係合する。
【００５１】
図８は、ＥＶＦ１０が取り得る各状態を説明する側面図である。図８（ａ）は、ＥＶＦ１０の表示ユニット１１０及びカバーユニット１４０が撮像装置１の本体内に収納された状態を示す側面図である。図８（ｂ）は、ＥＶＦ１０が撮像装置１に収納された状態で、ロックレバー１０７が時計まわり方向（矢印Ｓ方向）に回転した状態を示す側面図である。図８（ｃ）は、ＥＶＦ１０の表示ユニット１１０及びカバーユニット１４０が撮像装置１の本体上面から上方へ突出した状態を示す側面図である。図８（ｄ）は、図８（ｃ）の状態から接眼部１３０が引き出され、ＥＶＦ１０が使用可能となった状態を示す側面図である。なお、図８（ａ）〜（ｄ）では、ベースプレート１０６とカバーユニット１４０を構成する側面カバー１４２を非表示としている。
【００５２】
前述の通り、ＥＶＦ１０において、表示ユニット１１０とカバーユニット１４０はシャフトバネ１０４によって常に上方へ付勢されている。しかし、表示ユニット１１０とカバーユニット１４０が撮像装置１の本体内に収納された図８（ａ）の状態では、シャーシ１０２に設けられたロックピン１０２ａがロックレバー１０７に設けられた係合部１０７ｃと係合している。この状態では、表示ユニット１１０とカバーユニット１４０は上方へ突出することができない。
【００５３】
図８（ａ）の収納状態から操作レバー１１（図１（ａ）参照）が下方へスライド操作されると、操作レバー１１がロックレバー１０７に設けられた当接部１０７ｂに当接して、図８（ｂ）に示す状態となる。そして、ロックレバー１０７がロックレバーシャフト１０８を回転軸として時計まわり方向（矢印Ｓ方向）に回転する。これにより、シャーシ１０２のロックピン１０２ａとロックレバー１０７の係合部１０７ｃとの係合が解除される。その結果、シャフトバネ１０４の付勢によってシャーシ１０２及びシャフト１０３と共に表示ユニット１１０とカバーユニット１４０が上方へ突出し、図８（ｃ）の状態となる。
【００５４】
図８（ｃ）の状態では、ロックレバー１０７のロックピン１０７ｄがシャーシ１０２の係合部１０２ｃと係合することで、表示ユニット１１０とカバーユニット１４０は上方へ突出した所定位置で係止され、静止した状態となる。なお、ロックバネ１０９によるロックレバー１０７に対する付勢力を超えた荷重でカバーユニット１４０の天面を撮像装置１の本体内部へ向けて押下すると、ロックレバー１０７のロックピン１０７ｄがシャーシ１０２に設けられた係合部１０２ｃの斜面を滑り出す。すると、ロックレバー１０７が時計まわり方向に回転して、ロックレバー１０７のロックピン１０７ｄがシャーシ１０２の係合部１０２ｃから外れ、表示ユニット１１０とカバーユニット１４０を撮像装置１の本体内部へ収納することができる。このように、ＥＶＦ１０では、操作レバー１１の操作を必要とせず、カバーユニット１４０の天面の押下操作のみにより、表示ユニット１１０とカバーユニット１４０を撮像装置１の本体内へ収納することが可能となっている。
【００５５】
接眼部１３０には把持部１３４が設けられており、撮影者は把持部１３４を把持して、接眼部１３０をカバーユニット１４０内の収納位置から使用位置へ引き出すことができる。接眼部１３０は収納位置と使用位置との間で移動可能であり、よって、撮影者は把持部１３４を把持して使用位置にある接眼部１３０をカバーユニット１４０へ向けて押し込むことにより接眼部１３０を収納位置へ戻すことができる。
【００５６】
撮影者によって接眼部１３０が使用位置まで引き出された図８（ｄ）の状態で、ＥＶＦ１０は使用可能な状態、つまり、表示ユニット１１０で画像表示が行われる状態、となる。ＥＶＦ１０が使用可能な状態では、接眼部１３０に設けられた当接部１３５が検知スイッチ１２３に設けられたスイッチノブ１２３ａから退避し、検知スイッチ１２３がオフの状態となる。これに対して、図８（ａ）〜（ｃ）の状態では、接眼部１３０の当接部１３５によってスイッチノブ１２３ａが押下され、検知スイッチ１２３がオンの状態となっている。
【００５７】
撮像装置１は、近接センサ１４ａによる撮影者の顔等の物体の近接を検知しない間は表示装置２０での表示を行い、ＥＶＦ１０での表示を行わないように制御される。一方、近接センサ１４ａが物体の近接を検知すると、表示装置２０での表示をオフ（停止）し、ＥＶＦ１０での表示をオン（開始）するように制御される。
【００５８】
一方、表示装置２０とＥＶＦ１０に対する前述の表示制御は、検知スイッチ１２３の状態によって有効／無効が切り替わるように構成されている。つまり、接眼部１３０が引き出されて検知スイッチ１２３がオフとなっている状態では、前述の表示制御が行われる。これに対して、検知スイッチ１２３がオン（接眼部１３０が引き出されていない）状態の場合、近接センサ１４ａが物体の近接を検知しても前述の表示制御は行われず、表示装置２０での表示がオン、ＥＶＦ１０での表示はオフの状態に制御される。このような表示制御は、撮像装置１の本体内に配置された制御基板に実装されたマイクロコンピュータ（ＭＰＵ（制御手段））により実行される。
【００５９】
このような制御を行う１つの理由は、ＥＶＦ１０は、接眼部１３０が引き出された状態でのみ有機ＥＬパネル１２１へレンズ１２２の焦点が合うように設計されているためである。換言すれば、図８（ｃ）に示すように表示ユニット１１０とカバーユニット１４０が撮像装置１の本体から上方へ突出していても接眼部１３０が引き出されていない状態では、ＥＶＦ１０の表示が行われないことが望ましいからである。また、このような構成とすることで、ＥＶＦ１０の非使用時に、表示装置２０での表示が予期せずオフ（停止）してしまうことを防止することができる。
【００６０】
図１（ｂ）及び図５（ａ）に示したように近接センサ窓部１４は表示装置２０の上枠部に設けられているため、表示装置２０の回転動作に連動して近接センサ窓部１４の向きが変わる。また、前述の通り、接眼部１３０が引き出されていない状態では、近接センサ１４ａの検知結果に基づく表示制御は行われないため、表示装置２０を回転させても表示制御に影響はない。しかし、ＥＶＦ１０が使用可能な状態で表示装置２０を回転させた場合、表示装置２０の角度によっては近接センサ１４ａが撮像装置１の本体又は接眼部１３０を検知し、近接センサ１４ａの検知結果に基づく表示制御が行われるおそれがある。そこで次に、このような問題が生じないようにするための構成について説明する。
【００６１】
図９（ａ）〜（ｄ）は、表示装置２０の姿勢と近接センサ１４ａの検知範囲１４ｂの関係を説明する側面図である。図９（ａ）は、表示装置２０を上方へ略４５°回転させた状態を示している。図９（ｂ）は、表示装置２０を下方に略４５°回転させた状態を示している。図９（ｃ）は、表示装置２０を上方へ略９０°回転させた状態を示している。図９（ｄ）は、表示装置２０を上方へ略１５０°回転させた状態を示している。
【００６２】
なお、図９の各図には、ＥＶＦ１０を撮像装置１の本体から突出させた状態を示すことが望ましいが、表示装置２０の姿勢と近接センサ１４ａによる物体の検知範囲１４ｂの変化をわかり易く説明する必要もある。また、表示装置２０の姿勢が変化した場合に、近接センサ１４ａは撮像装置１の本体を検知することはあっても、ＥＶＦ１０を検知することはない。そこで、図９には撮像装置１の本体内に収納した状態を示している。
【００６３】
表示装置２０が図９（ａ）又は図９（ｂ）の姿勢となっている場合、撮像装置１の背面側が近接センサ１４ａによる物体の検知範囲１４ｂとなる。これらの状態では、撮影者が表示ユニット１１０を撮像装置１の本体から突出させて接眼部１３０を引き出せば（又は引き出していれば）、撮像装置１の背面に顔を近接させることで、ＥＶＦ１０をオンにする制御を実行させることができる。
【００６４】
一方、表示装置２０が図９（ｃ）又は図９（ｄ）に示す姿勢となっている場合、近接センサ１４ａによる物体の検知範囲１４ｂは、撮像装置１の背面側から外れる。そのため、表示ユニット１１０が使用可能状態で、且つ、表示装置２０が図９（ｃ）又は図９（ｄ）の姿勢となっている状態で撮影者が撮像装置１の背面に顔を近接させても、ＥＶＦ１０での表示はオンにならない可能性がある。
【００６５】
しかし、表示装置２０が図９（ｃ）の姿勢となっている場合、撮影者は撮像装置１を低く構えて被写体を撮影することが多いために接眼部１３０を覗いて撮影する可能性は低い。また、表示装置２０が図９（ｄ）の姿勢となっている場合、接眼部１３０は引き出されていても、表示装置２０によって覆われてしまうため、物理的に接眼部１３０から表示ユニット１１０に表示される映像等を視認することはできない。よって、図９（ｃ），（ｄ）の状態で、ＥＶＦ１０での表示がオンにならないことは実用的に問題とならない。
【００６６】
一方、ＥＶＦ１０が使用可能状態で、且つ、表示装置２０が図９（ｄ）の姿勢となっている場合には、ＥＶＦ１０での表示がオンして、表示装置２０の表示がオフになる表示制御が行われてしまう可能性がある。これは、撮像装置１の本体が近接センサ１４ａによる物体の検知範囲１４ｂ内に入ってしまうからである。前述の通り、図９（ｄ）のような表示装置２０の姿勢は、自分撮りに多く用いられるため、表示装置２０の表示が予期せずオフしてしまうのを防止する必要がある。
【００６７】
次に、表示装置２０を上方へ回転させた際に表示装置２０での表示が予期せずオフしてしまうのを防止するための構成について、図１０を参照して説明する。図１０（ａ）〜（ｃ）は、ＥＶＦ１０が使用可能、且つ、表示装置２０を所定の角度へ回転させた状態での撮像装置１の側面図である。具体的には、図１０（ａ）は、表示装置２０を上方へ略９０°回転させた状態を示している。図１０（ｂ）は、表示装置２０を上方へ略１５０°回転させた状態を示している。図１０（ｃ）は、表示装置２０を上方へ略１８０°回転させた反転状態を示している。図１０（ｄ）は、図１０（ｂ）に示す領域Ｅの拡大図であり、カバーユニット１４０を非表示としている。
【００６８】
図１０（ａ）の状態では、図９（ｃ）の状態と同様に、撮像装置１の本体が近接センサ１４ａによる物体の検知範囲１４ｂ内に入っていないため、近接センサ１４ａは撮像装置１の本体を検知していない。図１０（ａ）の状態から図１０（ｃ）の状態へと表示装置２０を回転させた途中で図１０（ｂ）の状態となった際に、図９（ｄ）（表示装置２０の角度が図１０（ｂ）と同じ状態）に示したように、撮像装置１の本体が近接センサ１４ａの検知範囲１４ｂに入り始める。そして、接眼部１３０が表示装置２０によって表示ユニット１１０側へ押され始める。その結果、図１０（ｄ）に示すように、ＥＶＦ１０の本体部１２０に設けられた検知スイッチ１２３のスイッチノブ１２３ａが接眼部１３０によって押下されて、検知スイッチ１２３がオン状態となる。こうして、ＥＶＦ１０が使用不可の状態となるため、近接センサ１４ａが物体（撮像装置１の本体）を検知しても、近接センサ１４ａの検知結果に基づく表示制御は行われない状態となる。よって、表示装置２０を上方へ回転させる過程で表示装置２０での表示が予期せずにオフしてしまうことが防止される。
【００６９】
表示装置２０を図１０（ｂ）の角度よりも大きく上方へ回転させた状態（例えば、図１０（ｃ）の状態）では、検知スイッチ１２３がオンの状態が維持される。よって、図１０（ｃ）に示す状態でも、近接センサ１４ａは物体の近接を検知しているが、近接センサ１４ａによる検知結果に基づく表示制御は行われない。
【００７０】
以上の説明の通り、本実施形態に係る撮像装置１では、表示装置２０の回転動作によって撮像装置１の本体が近接センサ１４ａによる物体の検知範囲１４ｂに入った場合に、近接センサ１４ａの検知結果に基づく表示制御を停止させることができる。これにより、意図しない表示装置２０での表示停止を防止することが可能となる。
【００７１】
次に、表示装置２０により接眼部１３０を表示ユニット１１０へ向けて押し込むために必要とされる荷重とヒンジ装置３０の回転部に掛かるトルクとの関係について、図１１を参照して説明する。図１１（ａ）は、表示装置２０を上方へ略１６５°回転させた状態での撮像装置１´の側面図である。図１１（ｂ）は、表示装置２０を上方へ略１８０°回転させた反転状態での撮像装置１´の側面図である。以下に説明する通り、撮像装置１´は、表示装置２０の回転させたときの力によって接眼部１３０を表示ユニット１１０へ向けて押し込むことができない参考例である。撮像装置１´が本実施形態に係る撮像装置１と異なる点は、回転軸Ｂまわりの表示装置２０の回転に必要な摺動トルクのみであるため、撮像装置１´の構成要素には、撮像装置１の構成要素を同じ符号を付して説明を行う。
【００７２】
上述したように、表示装置２０を回転させたときに表示装置２０が予期せずにオフすることを容易に回避可能とする構成としては、表示装置２０を回転させる力で接眼部１３０が表示ユニット１１０へ押し込まれる構成が望ましい。ここで、ヒンジ装置３０の回転軸Ｂまわりに表示装置２０を回転させるために必要な摺動トルクが接眼部１３０の押し込みに必要な荷重よりも小さい場合、図１１（ａ）に示すように、接眼部１３０が押し込まれずにヒンジ装置３０が回転軸Ｂまわりに回転し始める。そして、図１１（ａ）の状態から図１１（ｂ）の状態まで表示装置２０を回転させても、接眼部１３０は表示ユニット１１０側へ押し込まれず、図１１（ｂ）の状態で表示装置２０がオフになってしまう。
【００７３】
このような問題が生じないように、撮像装置１では、接眼部１３０の押し込みに必要な荷重に対する反力によって回転軸Ｂに作用する回転トルクよりも、回転軸Ｂの回転に必要な摺動トルクが大きくなるように設計されている。これにより、表示装置２０を回転させたときに、図１１（ａ），（ｂ）に示した状態とはならず、図１０（ｂ），（ｃ）に示した状態とすることが可能となっている。
【００７４】
ここまで、表示装置２０には液晶ディスプレイ２１が、ＥＶＦ１０には有機ＥＬパネル１２１がそれぞれ用いられている構成で説明したが、これに限定されず、映像や情報の表示が可能な他の表示手段が用いられていてもよい。また、ヒンジ装置３０として回転軸Ａ，Ｂの２軸を上下に有し、各軸まわりに回転可能な構成について説明したが、回転軸Ａのみを有する構成であってもよい。この場合、表示装置２０を下方へ回転させることができなくなるが、表示装置２０を上方へ１８０°近くまで回転させることは可能である。よって、上述のＥＶＦ１０を用いて表示装置２０を上方へ回転させた際の近接センサ１４ａによる検知結果に基づいて表示制御の有効／無効の切り換える構成は、回転軸Ａのみを有する撮像装置にも適用可能である。
【００７５】
更に、撮像装置１では近接センサ１４ａ及び近接センサ窓部１４が表示装置２０の上枠部に設けられているが、近接センサ１４ａの及び近接センサ窓部１４は、これに限定されず、表示装置２０内で撮影者の顔等の接近を検知可能な範囲に配置することができる。但し、近接センサ窓部１４を表示装置２０の上枠部に設ける場合、近接センサ窓部１４をＥＶＦ１０の接眼部１３０の直下に配置しないことが望ましい。これは、近接センサ窓部１４を接眼部１３０の直下に配置した場合には、図１０（ａ）の状態で近接センサ１４ａが接眼部１３０を検知することで、表示装置２０の表示がオフになってしまう可能性があるからである。
【００７６】
近接センサ１４ａ及び近接センサ窓部１４は、表示装置２０ではなく撮像装置１の本体の背面や接眼部１３０に配置してもよい。その場合の近接センサ窓部１４の配設位置は、表示装置２０が図１（ｂ）の基本姿勢にあるときに表示装置２０によって覆われない位置とすればよい。この場合も、表示装置２０を上方への回転角度に応じて近接センサ１４ａによる検知結果に基づく表示制御の有効／無効の切り換える構成を採用することで、表示装置２０が予期せずにオフとなるのを防止することができる。
【００７７】
なお、撮像装置１では、引き出された接眼部１３０（接眼窓枠部１３２）に表示装置２０を当接させることで接眼部１３０をカバーユニット１４０側へ押し込む構成とした。これに対して、図１２に示すように、液晶ディスプレイ２１と接眼窓１３１とが直接当接しない構成としてもよい。図１２（ａ）は、撮像装置１の部分背面図であり、表示装置２０のディスプレイカバー２２に当接用のリブ２２ａを設けた構成を示している。図１２（ｂ）は、表示装置２０を上方へ略１８０°回転させることで、リブ２２ａが接眼窓枠部１３２に当接した状態を示す側面図である。リブ２２ａを設けることで、接眼部１３０と液晶ディスプレイ２１を保護することが可能となる。
【００７８】
＜第２実施形態＞
第１実施形態に係る撮像装置１では、近接センサ１４ａ及び近接センサ窓部１４が表示装置２０の上枠部に設けられた構成となっている。これに対して、第２実施形態に係る撮像装置として、近接センサ１４ａ及び近接センサ窓部１４を備えていない構成について説明する。
【００７９】
第２実施形態に係る撮像装置の本体、ＥＶＦ１０及びヒンジ装置３０の構成は、第１実施形態に係る撮像装置１と同じであるため、それらについての説明は省略する。また、第２実施形態に係る撮像装置が備える表示装置についても、近接センサ１４ａ及び近接センサ窓部１４が備えない点を除いて、第１実施形態に係る撮像装置１の表示装置２０と同じであるため、詳細な説明を省略する。説明の便宜上、第２実施形態に係る撮像装置を構成する各部について、第１実施形態に係る撮像装置１について用いている符号と同じ符号を用いる。
【００８０】
第２実施形態に係る撮像装置は、近接センサ１４ａ及び近接センサ窓部１４を備えていないが、第１実施形態に係る撮像装置１と同様に、ＥＶＦ１０を構成する表示ユニット１１０の本体部１２０には検知スイッチ１２３が配置されている。接眼部１３０が引き出されていない状態では検知スイッチ１２３がオン状態となり、接眼部１３０が引き出されると検知スイッチ１２３はオフ状態となる。
【００８１】
第２実施形態に係る撮像装置でも、第１実施形態に係る撮像装置１と同様に、検知スイッチ１２３がオン状態では表示装置２０での表示を行い、ＥＶＦ１０での表示を行わない表示制御を行う。また、検知スイッチ１２３がオフ状態になると表示装置２０での表示をオフにして、ＥＶＦ１０での表示をオンにするように制御される。つまり、ＥＶＦ１０が使用可能な状態となっている場合にのみＥＶＦ１０での表示が行われ、これにより省電力化を図っている。
【００８２】
表示装置２０を上方へ略１８０°回転させた状態での表示制御方法について、図１０を参照して説明する。なお、図１０は第１実施形態の説明に用いた図であるが、第２実施形態と第１実施形態との相違点は、近接センサ１４ａ及び近接センサ窓部１４（図１０には不図示）の有無のみであるため、便宜的に図１０を参照することとする。
【００８３】
表示装置２０を上方へ略９０°回転させ、接眼部１３０が引き出された状態（図１０（ａ））では、検知スイッチ１２３はオフの状態となっているため、表示装置２０への表示がオフとなり、ＥＶＦ１０での表示がオンになっている。表示装置２０を上方へ略１５０°回転させると（図１０（ｂ））、接眼部１３０が表示装置２０に押されてスイッチノブ１２３ａを押すことで、検知スイッチ１２３がオンの状態となる。その結果、表示装置２０での表示がオンとなり、ＥＶＦ１０での表示はオフになる。更に表示装置２０を回転させて上方へ略１８０°回転させても（図１０（ｃ））、検知スイッチ１２３はオンの状態で維持されるため、ＥＶＦ１０での表示はオフで、表示装置２０での表示がオンの状態が維持される。
【００８４】
このように第２実施形態では、ＥＶＦ１０の接眼部１３０が引き出されている状態で表示装置２０の回転させた場合、回転角度に応じてＥＶＦ１０と表示装置２０とで表示先が切り替わる。よって、近接センサ１４ａを備えていなくとも、簡単な操作で表示先の切り替え行うことができる。
【００８５】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【００８６】
例えば、撮像装置が近接センサ１４ａを備えている場合に、近接センサ１４ａによる制御の有効／無効を切り替える切り替え手段を有する構成としてもよい。その場合、近接センサ１４ａによる制御を無効にしている状態では、第２実施形態と同様の制御が行われることになる。
【符号の説明】
【００８７】
１    撮像装置
１０    電子ビューファインダ装置（第２の表示部）
１１    操作レバー
１４    近接センサ窓部
１４ａ    近接センサ（第２の検知手段）
２０    表示装置（第１の表示部）
２２ａ    リブ
３０    ヒンジ装置
１１０    表示ユニット
１２３    検知スイッチ（第１の検知手段）
１３０    接眼部
【図１】
2020053806.tif 000003
【図２】
2020053806.tif 000004
【図３】
2020053806.tif 000005
【図４】
2020053806.tif 000006
【図５】
2020053806.tif 000007
【図６】
2020053806.tif 000008
【図７】
2020053806.tif 000009
【図８】
2020053806.tif 000010
【図９】
2020053806.tif 000011
【図１０】
2020053806.tif 000012
【図１１】
2020053806.tif 000013
【図１２】
2020053806.tif 000014